(57)【要約】【課題】洗浄液洗浄から洗浄水のみによるすすぎ洗浄に移行したことを使用者に確実に認識させる。【解決手段】洗剤等の洗浄液を保持している洗浄液保持部６と、洗浄水を洗浄ノズル部に供給する給水経路１０に上記洗浄液保持部から上記給水経路に洗浄液を注入する洗浄液注入部とを備え、洗浄液を混合させた洗浄水による洗浄液洗浄に続いて洗浄水のみによるすすぎ洗浄を行うものであり、洗浄液洗浄からすすぎ洗浄への移行初期の洗浄水供給を短時間だけ停止乃至少量にしている。洗浄水供給が停止乃至少量となることで、すすぎ洗浄に移行したことを使用者が認識できる。【選択図】図１
2005351053.tif 000002
【特許請求の範囲】
【請求項１】
洗剤等の洗浄液を保持している洗浄液保持部と、洗浄水を洗浄ノズル部に供給する給水経路に上記洗浄液保持部から上記給水経路に洗浄液を注入する洗浄液注入部とを備えるとともに、洗浄液を混合させた洗浄水による洗浄液洗浄に続いて洗浄水のみによるすすぎ洗浄を行う局部洗浄装置において、洗浄液洗浄からすすぎ洗浄への移行初期の洗浄水供給を短時間だけ停止乃至少量にしていることを特徴とする局部洗浄装置。
【請求項２】
洗浄ノズルは水圧に応じて伸縮するものであるとともに、洗浄液洗浄からすすぎ洗浄への移行初期の洗浄水供給の停止乃至少量にする時間は、洗浄ノズルが縮むのに要する時間よりも短いことを特徴とする請求項１記載の局部洗浄装置。
【請求項３】
洗浄液洗浄とすすぎ洗浄とで洗浄水の供給量を異ならせていることを特徴とする請求項１または２記載の局部洗浄装置。
【請求項４】
洗浄水に空気を混入させるエアポンプを備えるとともに、エアポンプにて混入する空気量を洗浄液洗浄とすすぎ洗浄とで異ならせていることを特徴とする請求項１〜３のいずれか１項に記載の局部洗浄装置。
【発明の詳細な説明】
【技術分野】
【０００１】
本発明は、人体局部を洗浄するための局部洗浄装置に関するものである。
【背景技術】
【０００２】
局部洗浄装置は、温水である洗浄水だけで局部の洗浄を行っていたが、近年、より衛生的な洗浄を行うために、洗剤等の洗浄液を洗浄用の温水に混合して洗浄ノズルから噴射するようにしたものが提供されている。
【０００３】
この洗浄液洗浄を行うものにおいては、洗浄液洗浄を行った後、洗浄ノズルに至るまでの流路内の洗浄液成分を洗い流して洗浄液の固形分の付着を防ぐために、洗浄液を混合していない洗浄水を流すことで、「すすぎ」を行うようにしているが、洗浄液洗浄からすすぎ洗浄に移行したかどうかを使用者が認識できるかどうかは、使用者の感覚に頼っており、人によってはすすぎ洗浄に移行したことに気付かないことがあった。
【特許文献１】特開２００３−３４２９９６号公報
【発明の開示】
【発明が解決しようとする課題】
【０００４】
本発明は上記の従来の問題点に鑑みて発明したものであって、洗浄液洗浄から洗浄水のみによるすすぎ洗浄に移行したことを使用者が明確に認識することができる局部洗浄装置を提供することを課題とするものである。
【課題を解決するための手段】
【０００５】
上記課題を解決するために本発明に係る局部洗浄装置は、洗剤等の洗浄液を保持している洗浄液保持部と、洗浄水を洗浄ノズル部に供給する給水経路に上記洗浄液保持部から上記給水経路に洗浄液を注入する洗浄液注入部とを備えるとともに、洗浄液を混合させた洗浄水による洗浄液洗浄に続いて洗浄水のみによるすすぎ洗浄を行う局部洗浄装置において、洗浄液洗浄からすすぎ洗浄への移行初期の洗浄水供給を短時間だけ停止乃至少量にしていることに特徴を有している。洗浄水供給が停止乃至少量となることで、すすぎ洗浄に移行したことを使用者が認識できるようにしたものである。
【０００６】
洗浄ノズルが水圧に応じて伸縮するものである場合、洗浄液洗浄からすすぎ洗浄への移行初期の洗浄水供給の停止乃至少量にする時間は、洗浄ノズルが縮むのに要する時間よりも短いことが好ましい。水源からの水圧が低い場合でも、確実にすすぎ洗浄に移行することができる。
【０００７】
また、洗浄液洗浄とすすぎ洗浄とで洗浄水の供給量を異ならせていてもよい。より明確にすすぎ洗浄への移行を使用者が認識できることになる。
【０００８】
さらに洗浄水に空気を混入させるエアポンプを備えたものにそいては、エアポンプにて混入する空気量を洗浄液洗浄とすすぎ洗浄とで異ならせても、より明確にすすぎ洗浄への移行を使用者が認識できることになる。
【発明の効果】
【０００９】
本発明は、洗浄液洗浄に続いてすすぎ洗浄がなされる時、すすぎ洗浄の初期に洗浄水供給が停止乃至少量となるために、すすぎ洗浄に移行したことを使用者が確実に認識することができる。また、洗浄水供給にポンプを使わずに給水弁の開閉のみで行うものにおいても適用することができるために、低コストで済む。
【発明を実施するための最良の形態】
【００１０】
以下本発明を実施の形態の一例に基づいて詳述すると、局部洗浄装置としての基本的構成は前記従来例とほぼ同じで、図２に示すように局部洗浄機構を有する局部洗浄装置本体Ａと、使用者が洗浄方法等を選択操作するための操作部２と、使用者が座るための便座３、便蓋４、洗浄ノズル部５、洗浄液を納めた洗浄液保持部である剤タンク６、着座センサー７などから構成されているとともに、操作部２からの信号に応じて便座温度や洗浄水温度や洗浄流量等を制御するための制御回路Ｃ（図３参照）を備えている。
【００１１】
この局部洗浄装置における配管系統を図３に示す。水道等の水源１と洗浄ノズル部５とをつなぐ給水経路１０中に、給水弁９と給水加熱用のヒータＨを備えた温水タンク８と洗浄液注入用の混合分岐栓１２と流路切替弁２０をこの順に挿入してある。また、上記剤タンク６と混合分岐栓１２とは剤供給経路１３によって接続して、剤供給経路１３には剤タンク６側に剤ポンプ１１を、混合分岐栓１２側に逆止弁１４を挿入して、剤ポンプ１１と混合分岐栓１２とで剤注入手段を構成してある。
【００１２】
給水経路１０の末端の洗浄ノズル部５は、おしり洗浄ノズル５１とビデ洗浄ノズル５２の他に、両ノズル５１，５２に向けて洗浄水を噴射するノズル洗浄ノズル５４を備えたものであり、またおしり洗浄ノズル５１とビデ洗浄ノズル５２の２つは、水圧で伸張してから洗浄水を吐出し、洗浄水の供給が停止されたならば内蔵するばねで縮むものとして形成されている。
【００１３】
上記給水弁９やヒータＨや剤ポンプ１１及び流路切替弁２０は前記制御回路Ｃの制御下にあり、制御回路Ｃからの出力に応じて作動するのであるが、操作部２から洗浄液洗浄の実施が指示された場合、制御回路Ｃは給水弁９を開いて洗浄水の供給を開始すると同時に剤ポンプ１１を駆動して洗浄液の供給を開始し、洗浄液が混入された洗浄水を洗浄ノズル部５に供給する。そして所要時間Ｔ１が経過した時点、あるいは操作部２に対する洗浄液洗浄指示操作が無くなった時点で制御回路Ｃは剤ポンプ１１を停止させ、洗浄水のみによる所定時間Ｔ２のすすぎ洗浄に移行する。ただし、制御回路Ｃは図１に示すようにすすぎ洗浄の開始からある時間Ｔ３（たとえば１秒）の間、給水弁９を閉じたり絞ったりすることで、洗浄ノズル部５から吐出される洗浄水の水の強さをいったん小さくし、その後、元の水の強さに戻す。
【００１４】
上記時間Ｔ３は、水圧によって伸縮する洗浄ノズル５１，５２が縮んでしまうのに要する時間より短くしておく。このような時間にしておくことで、水源１の水圧が低く、洗浄ノズル５１，５２を伸ばして洗浄水を吐出するまでに時間がかかってしまうような時にも的確にすすぎ洗浄に移行することができる。
【００１５】
図４に示すように、洗浄ノズル部５から吐出する水の量を変化させるようにしてもよい。特に洗浄液洗浄の期間Ｔ１と洗浄水によるすすぎ洗浄の期間Ｔ２とで水の量を変えるようにしておくことも好ましい。
【００１６】
また、図５に示すように、空気を洗浄水中に混合させるためのエアポンプ２３を備えたものにおいては、洗浄液洗浄の期間Ｔ１と洗浄水によるすすぎ洗浄の期間Ｔ２とで空気混入量も異ならせるとよい。
【図面の簡単な説明】
【００１７】
【図１】は本発明の実施の形態の一例の動作説明図である。
【図２】同上の斜視図である。
【図３】同上のブロック図である。
【図４】同上の他例の動作説明図である。
【図５】他例のブロック図である。
【図６】同上の動作説明図である。
【符号の説明】
【００１８】
５  洗浄ノズル部
６  剤タンク
１０  給水経路
１１  剤ポンプ
２０  流路切替弁
Ｃ  制御回路
Ｔ１  洗浄液洗浄期間
Ｔ２  すすぎ洗浄期間
【図１】
2005351053.tif 000003
【図２】
2005351053.tif 000004
【図３】
2005351053.tif 000005
【図４】
2005351053.tif 000006
【図５】
2005351053.tif 000007
【図６】
2005351053.tif 000008